(57)【要約】【課題】  身近にあるペットボトルを使用して撮影でき、コンパクト・軽量で、取り扱いの簡単なスマートフォンスタンドを提供する。【解決手段】  スマートフォンを支えるスマートフォンスタンドであって、このスマートフォンスタンドはペットボトルのキャップに嵌合する篏合部を有する本体部と、この本体部の上方に設けられたスマートフォン取付部とを有し、このスマートフォン取付部は第一のヒンジによりこの本体部に回動可能に取り付けられ、このスマートフォン取付部は、この本体部との間にスマートフォン取付部の傾斜角度を調節する調節部を有し、この本体部を延長してスマートフォンを支える端部受けを備えることを特徴とするスマートフォンスタンド。  【選択図】図１
2020056850.tif 000002
【特許請求の範囲】
【請求項１】
スマートフォンを支えるスマートフォンスタンドであって、このスマートフォンスタンドはペットボトルのキャップに嵌合する篏合部を有する本体部と、この本体部の上方に設けられたスマートフォン取付部とを有し、このスマートフォン取付部は第一のヒンジによりこの本体部に回動可能に取り付けられ、このスマートフォン取付部は、この本体部との間にスマートフォン取付部の傾斜角度を調節する調節部を有し、この本体部を延長してスマートフォンを支える端部受けを備えることを特徴とするスマートフォンスタンド。
【請求項２】
請求項１のスマートフォン取付部には第二のヒンジによりステイが回動可能に取り付けられ、このステイはこの本体部に設けられた調整部に選択的に篏合して、スマートフォンを乗せたスマートフォン取付部の傾斜を調節可能であることを特徴とするスマートフォンスタンド。
【請求項３】
請求項１又は請求項２のスマートフォン取付部には中央側に開口部を設け、この開口部の内側にステイを設け、このステイの内側に篏合部を設けたことを特徴とするスマートフォンスタンド。
【請求項４】
請求項１の調節部として、第一のヒンジ周りにスマートフォン取付部を立てる方向には立てやすく、畳む方向には畳みにくい作用をするヒンジギヤを設けたことを特徴とするスマートフォンスタンド。
【請求項５】
請求項１乃至請求項４の何れかのスマートフォンスタンドの篏合部の内径は30ｍｍプラスマイナス0.4ｍｍの間の何れかにしたことを特徴とするスマートフォンスタンド。
【請求項６】
請求項１乃至請求項５の何れかのスマートフォンスタンドのストッパーをヒンジを介して端部受けと連結したことを特徴とするスマートフォンスタンド。
【発明の詳細な説明】
【技術分野】
【０００１】
この発明は、スマートフォン等のカメラ付き携帯電話を自立させて写真撮影する際に使用するスマートフォンスタンドに関する。
【背景技術】
【０００２】
従来、スマートフォン等のカメラ付き携帯電話で自分を含めて複数人を撮影するには、自撮り棒を用いていたが、自撮り棒では画角が小さく少人数しか撮影できず、構図にも制約があった。又、自撮り棒は、伸縮可能であるとは言え、嵩張って重いため、ポケットに入り難く、バッグに入れても邪魔になる問題があった。
【先行技術文献】
【特許文献】
【０００３】
【特許文献１】特開２０１２−３７８３１
【発明の概要】
【発明が解決しようとする課題】
【０００４】
そこで、特許文献１のように、ペットボトルを利用した技術が提案されていた。ペットボトルは、家庭内で欠かせないものであり、外出時にも持ち歩くことが多く、写真撮影時に手に入り易いものであることを利用している。特許文献１は、シート状部材３を折り曲げて組み立て、差し込み開口部２にスマートフォンを差し込んで撮影するものである。
【０００５】
しかしながら、この技術ではシート状部材３の折り曲げが複雑であり、いざ写真を撮ろうとするとき、もたついてしまう問題があった。また、シート状部材３は、硬すぎると組み立てが困難になり、柔らかすぎると剛性が不足し、スマートフォンをしっかり支えられないという問題もあった。
【課題を解決するための手段】
【０００６】
スマートフォンを支えるスマートフォンスタンドであって、このスマートフォンスタンドはペットボトルのキャップに嵌合する篏合部を有する本体部と、この本体部の上方に設けられたスマートフォン取付部とを有し、このスマートフォン取付部は第一のヒンジによりこの本体部に回動可能に取り付けられ、このスマートフォン取付部は、この本体部との間にスマートフォン取付部の傾斜角度を調節する調節部を有し、この本体部を延長してスマートフォンを支える端部受けを備えることを特徴とするスマートフォンスタンド。
【発明の効果】
【０００７】
上記の問題点を解決し、コンパクト・軽量で、取り扱いの簡単なスマートフォンスタンドを提供することができる。
【図面の簡単な説明】
【０００８】
【図１】第一の実施例のスマートフォンスタンドを立てた状態の斜視図である。
【図２】第一の実施例のスマートフォンスタンドを立てた状態の六面図である。左側面図は右側面図と対称に表れる。
【図３】第一の実施例のスマートフォンスタンドを畳んだ状態の斜視図である。
【図４】第一の実施例のスマートフォンスタンドを畳んだ状態の六面図である。左側面図は右側面図と対称に表れる。
【図５】第一の実施例のスマートフォンスタンドの使用状態を示す斜視図である。
【図６】第二の実施例のスマートフォンスタンドを立てた状態の斜視図である。
【図７】第二の実施例のスマートフォンスタンドを立てた状態の六面図である。左側面図は右側面図と対称に表れる。
【図８】第二の実施例のスマートフォンスタンドを畳んだ状態の斜視図である。
【図９】第二の実施例のスマートフォンスタンドを畳んだ状態の六面図である。左側面図は右側面図と対称に表れる。
【図１０】第四の実施例のスマートフォンスタンドを分解した状態の斜視図である。
【発明を実施するための形態】
【０００９】
スマートフォンを支えるスマートフォンスタンドであって、このスマートフォンスタンドはペットボトルのキャップに嵌合する篏合部を有する本体部と、この本体部の上方に設けられたスマートフォン取付部とを有し、このスマートフォン取付部は第一のヒンジによりこの本体部に回動可能に取り付けられ、このスマートフォン取付部は、この本体部との間にスマートフォン取付部の傾斜角度を調節する調節部を有し、この本体部を延長してスマートフォンを支える端部受けを備えることを特徴とするスマートフォンスタンド。
【００１０】
上記のスマートフォン取付部には第二のヒンジによりステイが回動可能に取り付けられ、このステイはこの本体部に設けられた調整部に選択的に篏合して、スマートフォンを乗せたスマートフォン取付部の傾斜を調節可能であることを特徴とするスマートフォンスタンド。
上記のスマートフォン取付部には中央側に開口部を設け、この開口部の内側にステイを設け、このステイの内側に篏合部を設けたことを特徴とするスマートフォンスタンド。
【００１１】
上記の調節部として、第一のヒンジ周りにスマートフォン取付部を立てる方向には立てやすく、畳む方向には畳みにくい作用をするヒンジギヤを設けたことを特徴とするスマートフォンスタンド。
上記の何れかのスマートフォンスタンドの篏合部の内径は３０ｍｍプラスマイナス0.4ｍｍの間の何れかにしたことを特徴とするスマートフォンスタンド。
上記のスマートフォンスタンドのストッパーをヒンジを介して端部受けと連結したことを特徴とするスマートフォンスタンド。
【実施例】
【００１２】
図１、図２、図３、図４により、第一の実施例のスマートフォンスタンドを説明する。この実施例のスマートフォンスタンド１０は、ペットボトルのキャップに嵌合する篏合部４０を有する本体部２０と、この本体部２０の上方に設けられたスマートフォン取付部３０とから構成されている。このスマートフォン取付部３０は第一のヒンジ６１によりこの本体部２０に回動可能に取り付けられている。
【００１３】
このスマートフォン取付部３０は、スマートフォンを乗せたスマートフォン取付部３０の傾斜を調節可能である。スマートフォン取付部３０の上方には、第二のヒンジ６２により回動可能にステイ５０が接続されている。本体部２０の上面に設けられた調節部２１とステイ５０の下端が篏合して、スマートフォン取付部３０の傾斜角度を調節することができる。
【００１４】
本体部２０の上面の調節部２１は、複数の凹又は凸が間隔をおいて設けられて構成されている。
スマートフォン取付部３０には中央側に開口部を設け、この開口部の内側にステイ５０を設け、このステイの内側に篏合部４０を設けている。このことにより、スマートフォン取付部３０と、ステイ５０と、篏合部４０が板状で略一平面上に構成できるので、厚さを薄くできる利点がある。さらに、本体部２０も板状であるので、スマートフォンスタンド１０を板状のコンパクトな外形に形成することができる。
【００１５】
篏合部４０は環状に形成し、内側にはセレーションが設けられている。市販されているペットボトルのキャップのサイズは推奨された規格で略統一されており、２リットル位までは略同じであって、調査の結果セレーション内径が３０ｍｍプラスマイナ0.4ｍｍであれば、殆どのキャップに適用可能であることが分かった。
【００１６】
この実施例のスマートフォンスタンド１０の使用方法を図５により説明する。篏合部４０をペットボトルBのキャップに被せ、スマートフォン取付部３０を立て、ステイ５０で支える。スマートフォン取付部３０の上にスマートフォンSを乗せて、調節部２１により角度を調節することができる。端部受け７０の中央にはケーブル通し部７２が設けられ、USBケーブルやイヤホンコードCを通すことができる。
【００１７】
図6、図7、図8、図9により、第二の実施例のスマートフォンスタンド１０を説明する。ストッパー７１は、第三のヒンジ６３を介して端部受け７０に連結されており、ストッパー７１は立てた状態（図６、図７）と畳んだ状態（図８、図９）に変化させることができる。この為、収納時や携行時にはコンパクトで邪魔にならない効果を得ることができる。
【００１８】
第三の実施例のスマートフォンスタンドとしては、図示はしないが、スマートフォン取付部３０の表側のスマートフォンとの接触部にスマートフォン取付部３０より摩擦係数の大きい材料を貼付または塗布したものである。このことにより、スマートフォンが滑って落下し難い効果が得られる。さらに、端部受け７０に摩擦係数の大きい材料を設ければこの効果を大きくすることができる。
又、本体部２０の下面に摩擦係数の大きい材料を設ければスマートフォンスタンド１０を直接テーブルの上などに置いた場合、スマートフォンスタンド１０が滑り難いという効果が得られる。
【００１９】
上記の実施例の各ヒンジは、片方がシャフトで反対側は円筒の組み合わせとしているが、スマートフォンスタンド１０は樹脂製として、ヒンジは薄肉とした樹脂ヒンジとしてもよい。
【００２０】
図１０により第四の実施例のスマートフォンスタンドを説明する。第一のヒンジ６１は、ヒンジギヤ６１a、６１bの組み合わせにより、ギヤの片側を斜面として、スマートフォン取付部３０を起こし易く、倒れ難い構造としている。この為、スマートフォン取付部３０を起こし易く、かつスマートフォンを支えるのに十分な抵抗力を得ることができる。スマートフォン取付部３０を倒すときは、スマートフォン取付部３０を挟むようにすると、ヒンジギヤ６１a、６１bの篏合を緩めて、容易にスマートフォン取付部３０を倒すことができる。スマートフォン取付部３０は、通常樹脂で形成されるが、スプリングワイヤで形成してもよい。
【００２１】
このようにして、嵩張って重い三脚がなくても、身の回りにあるペットボトルを使って、全員が入ったグループ写真を撮ることができる。この発明のスマートフォンスタンドは、コンパクトに折りたためるので、ポケットやバッグに入れても邪魔にならず、常に身近に備えてキャップオープナーとしても使用し、適宜スマートフォンスタンドとして使用することができる。もちろん、写真撮影だけでなく、テレビ電話や動画撮影・鑑賞などに幅広く活用することができる。
【産業上の利用可能性】
【００２２】
この発明は、特にスマートフォンに適用されるが、カメラ付き携帯電話や他の情報機器に広く利用可能であり、又ペットボトルだけでなく他の材料の容器にも利用可能である。
【符号の説明】
【００２３】
１０はスマートフォンスタンド
２０は本体部
２１は調節部
３０はスマートフォン取付部
４０は篏合部
５０はステイ
６１は第一のヒンジ
６２は第二のヒンジ
６３は第三のヒンジ
７０は端部受け
７１はストッパー
７２はケーブル通し部
S はスマートフォン
Bはペットボトル
Cはケーブル
【図１】
2020056850.tif 000003
【図２】
2020056850.tif 000004
【図３】
2020056850.tif 000005
【図４】
2020056850.tif 000006
【図５】
2020056850.tif 000007
【図６】
2020056850.tif 000008
【図７】
2020056850.tif 000009
【図８】
2020056850.tif 000010
【図９】
2020056850.tif 000011
【図１０】
2020056850.tif 000012